(57)【要約】【課題】高さ方向の寸法制約が緩和され、汎用的な蓄電池を採用することができる蓄電池の設置構造を提供する。【解決手段】建物１の内部に蓄電池５を設置するための蓄電池の設置構造であって、建物１の床部１ａに開口１１が設けられ、開口１１を通じて床上領域を形成する収納空間４から床下領域を形成する床下空間３に跨って、蓄電池５が設置された構成とされている。【選択図】図１
2014190125.tif 000002
【特許請求の範囲】
【請求項１】
建物の内部に蓄電池を設置するための蓄電池の設置構造であって、
前記建物の床部に開口が設けられ、該開口を通じて床上領域から床下領域に跨って、前記蓄電池が設置されていることを特徴とする蓄電池の設置構造。
【請求項２】
前記床部は、前記建物の最下階の床部であり、前記蓄電池は、基礎面又は地盤面に支持されていることを特徴とする請求項１に記載の蓄電池の設置構造。
【請求項３】
前記床部の前記開口は、前記建物内のデッドスペースに設けられていることを特徴とする請求項１又は２に記載の蓄電池の設置構造。
【請求項４】
前記デッドスペースは、収納空間の内部であることを特徴とする請求項３に記載の蓄電池の設置構造。
【請求項５】
前記デッドスペースは、階段の下部であることを特徴とする請求項３に記載の蓄電池の設置構造。
【請求項６】
前記蓄電池は、上下複数個に分割可能とされており、前記開口から前記床上領域側に取り出し可能とされていることを特徴とする請求項１乃至５のいずれか１項に記載の蓄電池の設置構造。
【請求項７】
前記蓄電池の下部には、防水パンが設けられていることを特徴とする請求項１乃至６のいずれか１項に記載の蓄電池の設置構造。
【請求項８】
前記床下領域に形成された床下空間内に吹出型の空調装置が設置されており、該空調装置の吹出部から吹き出す空調用空気が、前記蓄電池に吹き付け可能とされていることを特徴とする請求項１乃至７のいずれか１項に記載の蓄電池の設置構造。
【請求項９】
前記床下領域に形成された床下空間内に換気装置が設置されており、該換気装置の吹出部から吹き出す換気用空気が、前記蓄電池に吹き付け可能とされていることを特徴とする請求項１乃至７のいずれか１項に記載の蓄電池の設置構造。
【発明の詳細な説明】
【技術分野】
【０００１】
本発明は、建物の内部に蓄電池を設置するための蓄電池の設置構造に関するものである。
【背景技術】
【０００２】
従来から、建物の内部に蓄電池を設置するための蓄電池の設置構造については多数提案されている。
【０００３】
これら従来の蓄電池の設置構造は、蓄電池を床下空間に設置するタイプのもの（特許文献１等を参照）と、蓄電池を床上空間に設置するタイプのもの（特許文献２等を参照）とに大別される。
【先行技術文献】
【特許文献】
【０００４】
【特許文献１】特開２０１０−１６３７４４号公報
【特許文献２】特開２０１０−２４４９１８号公報
【発明の概要】
【発明が解決しようとする課題】
【０００５】
しかしながら、上記した、蓄電池を床下空間に設置するタイプの蓄電池の設置構造と、蓄電池を床上空間に設置するタイプの蓄電池の設置構造とは、いずれも、特に高さ方向の寸法制約が大きく、蓄電池を扁平な形にする必要があり、汎用的な蓄電池を採用することができず、その分、コスト高となっていた。
【０００６】
また、蓄電池を床下空間に設置するタイプの蓄電池の設置構造では、蓄電池のメンテナンスをし難いという問題点もあった。
【０００７】
一方、蓄電池を床上空間に設置するタイプの蓄電池の設置構造では、重量物である蓄電池を支持するために床の補強が別途必要となるという問題点もあった。
【０００８】
そこで、本発明は、高さ方向の寸法制約が緩和され、汎用的な蓄電池を採用することができる蓄電池の設置構造を提供することを目的としている。
【課題を解決するための手段】
【０００９】
前記目的を達成するために、本発明の蓄電池の設置構造は、建物の内部に蓄電池を設置するための蓄電池の設置構造であって、前記建物の床部に開口が設けられ、該開口を通じて床上領域から床下領域に跨って、前記蓄電池が設置されていることを特徴とする。
【００１０】
ここで、前記床部は、前記建物の最下階の床部であり、前記蓄電池は、基礎面又は地盤面に支持されているとよい。
【００１１】
また、前記床部の前記開口は、前記建物内のデッドスペースに設けられているとよい。
【００１２】
ここで、前記デッドスペースは、収納空間の内部であってもよい。
【００１３】
また、前記デッドスペースは、階段の下部であってもよい。
【００１４】
さらに、前記蓄電池は、上下複数個に分割可能とされており、前記開口から前記床上領域側に取り出し可能とされていてもよい。
【００１５】
また、前記蓄電池の下部には、防水パンが設けられているとよい。
【００１６】
さらに、前記床下領域に形成された床下空間内に吹出型の空調装置が設置されており、該空調装置の吹出部から吹き出す空調用空気が、前記蓄電池に吹き付け可能とされていてもよい。
【００１７】
また、前記床下領域に形成された床下空間内に換気装置が設置されており、該換気装置の吹出部から吹き出す換気用空気が、前記蓄電池に吹き付け可能とされていてもよい。
【発明の効果】
【００１８】
このような本発明の蓄電池の設置構造は、建物の内部に蓄電池を設置するための蓄電池の設置構造であって、建物の床部に開口が設けられ、開口を通じて床上領域から床下領域に跨って、蓄電池が設置された構成とされている。
【００１９】
上記した構成なので、蓄電池を床上領域から床下領域に跨って設置するため、高さ方向の寸法制約が緩和され、比較的安価な汎用的な蓄電池を採用することができる。
【００２０】
ここで、床部は、建物の最下階の床部であり、蓄電池は、基礎面又は地盤面に支持されている場合は、基礎面又は地盤面は支持強度が高いので、別途補強せずに済む。
【００２１】
また、床部の開口は、建物内のデッドスペースに設けられている場合は、蓄電池が床上空間の居室等に露出しないので、居住者の生活行動や建物内部の意匠性への悪影響が殆どなくて済む。
【００２２】
ここで、デッドスペースは、収納空間の内部である場合は、クローゼット等の収納空間は大抵の建物の居住者が必要とするものであるので、汎用的に採用することができる。
【００２３】
また、デッドスペースは、階段の下部である場合は、建物が複数階のときは大抵階段を有するので、汎用的に採用することができる。
【００２４】
さらに、蓄電池は、上下複数個に分割可能とされており、開口から床上領域側に取り出し可能とされている場合は、蓄電池の分割単位での重量が小さいので、開口から床上領域側に容易に取り出すことができ、メンテナンスや交換等の作業を容易に行うことができる。
【００２５】
また、蓄電池の下部には、防水パンが設けられている場合は、万一、床下領域に形成された床下空間が浸水しても、防水パンにより蓄電池が保護されるので、蓄電池の故障を防止することができる。
【００２６】
さらに、床下領域に形成された床下空間内に吹出型の空調装置が設置されており、空調装置の吹出部から吹き出す空調用空気が、蓄電池に吹き付け可能とされている場合は、蓄電池を適切な温度状態に保つために必要な温度に設定された空調用空気を蓄電池に吹き付けることで、蓄電池を常に適切な温度状態に保つことができる。
【００２７】
また、床下領域に形成された床下空間内に換気装置が設置されており、換気装置の吹出部から吹き出す換気用空気が、蓄電池に吹き付け可能とされている場合は、蓄電池を適切な温度状態に保つために必要な量の換気用空気を蓄電池に吹き付けることで、蓄電池を常に適切な温度状態に保つことができる。
【図面の簡単な説明】
【００２８】
【図１】実施例１の蓄電池の設置構造を備えた建物の概略構成を示す説明図である。
【図２】実施例２の蓄電池の設置構造を備えた建物の概略構成を示す説明図である。
【図３】実施例３の蓄電池の設置構造を備えた建物の概略構成を示す説明図である。
【図４】実施例４の蓄電池の設置構造を備えた建物の概略構成を示す説明図である。
【図５】実施例５の蓄電池の設置構造を備えた建物の概略構成を示す説明図である。
【発明を実施するための形態】
【００２９】
以下、本発明を実施するための形態を、図面に示す実施例１〜５に基づいて説明する。
【実施例１】
【００３０】
先ず、実施例１の構成について説明する。
【００３１】
図１は、実施例１の蓄電池の設置構造を備えた建物１の概略構成を示している。
【００３２】
この建物１は、断熱基礎として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００３３】
そして、この天井部１ｅと外壁部１ｄとに囲まれる空間は、床部１ａによって床下領域に形成された床下空間３と居室などに用いられる床上領域に形成された床上空間６とが区切られた構成となっている。
【００３４】
また、基礎側壁コンクリート１ｃの床下空間３側には、グラスウールなどの断熱材２が取り付けられており、床下空間３内の熱が屋外に極力漏れない断熱構造となっている。
【００３５】
さらに、床上空間６には、下部に隙間１０ａを確保した開閉可能な扉１０Ａを有する仕切壁１０が設けられ、クローゼット等に用いられる収納空間４が形成されている。
【００３６】
そして、床部１ａには、開口１１が設けられ、この開口１１を通じて、床上領域に形成された収納空間４から床下領域に形成された床下空間３に跨って、蓄電池５が設置されている。
【００３７】
ここで、蓄電池５の上部の側面には、蓄電池用のパワーコンディショナー５ａが取り付けられている。
【００３８】
また、蓄電池５の下面は、防水パン１２を介して、基礎面である基礎底盤コンクリート１ｂの上面に支持されている。
【００３９】
さらに、蓄電池の上部は、その上面が収納空間４の底面を形成する着脱自在のカバー材１３で周囲が覆われている。
【００４０】
このカバー材１３のパワーコンディショナー５ａ側の側面には、放熱用ガラリ１３ａが設けられている。
【００４１】
これにより、蓄電池５のメンテナンスや交換等の作業を行いたいときは、扉１０Ａを開き、カバー材１３を取り外せばよい。
【００４２】
なお、（パワーコンディショナー５ａを含む）蓄電池５が適切でない温度状態に近づくと、カバー材１３の放熱用ガラリ１３ａから収納空間４内に熱が排出され、その熱は、扉１０Ａ下部の隙間１０ａから床上空間６内に排出されて、蓄電池５は適切な温度状態に保たれる。
【００４３】
次に、実施例１の作用効果について説明する。
【００４４】
このような実施例１の蓄電池の設置構造は、建物１の内部に蓄電池５を設置するための蓄電池の設置構造である。
【００４５】
そして、建物１の床部１ａに開口１１が設けられ、開口１１を通じて床上領域を形成する収納空間４から床下領域を形成する床下空間３に跨って、蓄電池５が設置された構成とされている。
【００４６】
上記した構成なので、蓄電池５を、床上領域を形成する収納空間４から床下領域を形成する床下空間３に跨って設置するため、高さ方向の寸法制約が緩和され、比較的安価な汎用的な蓄電池５を採用することができる。
【００４７】
ここで、床部１ａは、建物１の最下階の床部であり、蓄電池５は、基礎面である基礎底盤コンクリート１ｂの上面に支持されている。
【００４８】
このため、基礎面である基礎底盤コンクリート１ｂの上面は支持強度が高いので、別途補強せずに済む。
【００４９】
また、床部１ａの開口１１は、建物１内のデッドスペースである収納空間４の内部に設けられている。
【００５０】
このため、蓄電池５が床上空間６の居室等に露出しないので、居住者の生活行動や建物１内部の意匠性への悪影響が殆どなくて済む。
【００５１】
そのうえ、クローゼット等の収納空間４は大抵の建物１の居住者が必要とするものであるので、汎用的に採用することができる。
【００５２】
さらに、蓄電池５の下部には、防水パン１２が設けられている。
【００５３】
このため、万一、床下領域に形成された床下空間３が浸水しても、防水パン１２により蓄電池５が保護されるので、蓄電池５の故障を防止することができる。
【００５４】
なお、この防水パン１２は、その高さが床上空間６と床下空間３とを区切る床部１ａまで達しており、床下空間３が満水になるような浸水状態になったとしても蓄電池５を保護することができる。
【実施例２】
【００５５】
次に、実施例２について説明する。
【００５６】
なお、上記実施例１で説明した内容と同一乃至均等な部分の説明については同一符号を付して説明する。
【００５７】
図２は、実施例２の蓄電池の設置構造を備えた建物１の概略構成を示している。
【００５８】
この実施例２の蓄電池の設置構造では、蓄電池５が３個の分割パーツ５Ａ，５Ａ，５Ａから成ることが上記実施例１の蓄電池の設置構造と主に異なる。
【００５９】
すなわち、蓄電池５を重量の小さい分割パーツ５Ａ単位で、開口１１から床上領域側である床上空間６に取り出し可能とされているので、蓄電池５のメンテナンスや交換等の作業をより容易に行うことができる。
【００６０】
なお、他の構成及び作用効果については、上記実施例１と略同様であるので説明を省略する。
【実施例３】
【００６１】
次に、実施例３について説明する。
【００６２】
なお、上記実施例１で説明した内容と同一乃至均等な部分の説明については同一符号を付して説明する。
【００６３】
図３は、実施例３の蓄電池の設置構造を備えた建物１の概略構成を示している。
【００６４】
この実施例３の蓄電池の設置構造では、床上空間６が２階の床部１ｆにより、１階の床上空間６１と２階の床上空間６２とに区切られ、これら床上空間６１，６２間の連絡通路として設けられた階段１４の下部の空間４０内に、蓄電池５が設置されていることが上記実施例１の蓄電池の設置構造と主に異なる。
【００６５】
すなわち、建物１が２階などの複数階のときは、大抵階段１４を有するので、この実施例２の蓄電池の設置構造を汎用的に採用することができる。
【００６６】
なお、他の構成及び作用効果については、上記実施例１と略同様であるので説明を省略する。
【実施例４】
【００６７】
次に、実施例４について説明する。
【００６８】
なお、上記実施例１で説明した内容と同一乃至均等な部分の説明については同一符号を付して説明する。
【００６９】
図４は、実施例４の蓄電池の設置構造を備えた建物１の概略構成を示している。
【００７０】
この実施例４の蓄電池の設置構造では、内部に図示省略のファンが内蔵された換気装置１５が床下空間３内に設置されているとともに、防水パン１２の縁部が床部１ａまで達していないことが上記実施例１の蓄電池の設置構造と主に異なる。
【００７１】
すなわち、一点鎖線で示した通気経路Ｗのように、蓄電池５を適切な温度状態に保つために必要な量の換気用空気を、換気装置１５により蓄電池５へ吹き付けることができる。
【００７２】
ここで、換気装置１５は、吸入口１６から吸入した外気を、ダクト１８１を介して外気吸込部１５３から内部に吸い込み、図示省略のフィルターにより浄化した後、吹出部１５１から吹き出し、床部１ａに設けた排気口１９から排出した内気を、ダクト１８３を介して内気吸込部１５２から吸い込み、内気吐出部１５４からダクト１８２を介して吐出口１７から吐出するとともに、図示省略の熱交換器で給排気による熱損失を極力小さくすることができる熱交換型の換気装置である。
【００７３】
また、防水パン１２の高さは、床上空間６と床下空間３とを区切る床部１ａまで達しておらず、床下空間３の中間の高さ位置までに抑えられているが、その高さ相当までの浸水状態に対しては蓄電池５を保護することができる。
【００７４】
なお、他の構成及び作用効果については、上記実施例１と略同様であるので説明を省略する。
【実施例５】
【００７５】
次に、実施例５について説明する。
【００７６】
なお、上記実施例１で説明した内容と同一乃至均等な部分の説明については同一符号を付して説明する。
【００７７】
図５は、実施例５の蓄電池の設置構造を備えた建物１の概略構成を示している。
【００７８】
この実施例５の蓄電池の設置構造では、床下空間３内に吹出型の空調装置としてのエアコンディショナーの屋内機８が設置されており、防水パン１２の側面に形成した通気孔１２ａと吹出部８１との間がダクト９１で接続されていることが上記実施例１の蓄電池の設置構造と主に異なる。
【００７９】
ここで、蓄電池５の側面には、蓄電池５周囲の温度を検知するための図示省略の温度センサーが設置されており、適切でない温度に近づくと、制御部は、蓄電池５を適切な温度状態に保つために必要な温度に設定された空調用空気を吹出部８１から吹き出し、通気孔１２ａから防水パン１２内へ強制的に送り込み、一点鎖線で示した通気経路Ｗを通った空調用空気が蓄電池５の表面に接触して、奪った熱を床上空間６に排出するので、蓄電池５は、適切な温度状態に保たれる。
【００８０】
また、吹出型の空調装置としてのエアコンディショナーの屋内機８は、ヒートポンプ式であり、熱媒循環管路により、建物１の屋外に設置された屋外機７と接続されている。
【００８１】
さらに、吹出型の空調装置としてのエアコンディショナーの屋内機８は、吹出部８１に接続されたダクト９１は、途中で流路切替弁９３によりダクト９２に分岐しており、この分岐したダクト９２の上端部は、床部１ａに設けられた給気口２０に接続されている。
【００８２】
すなわち、吹出型の空調装置としてのエアコンディショナーの屋内機８は、通常は、給気口２０から空調空気（冷気又は暖気）を床上空間６内に吹き出し、床上空間６を空調するためのものであり、必要なときに、制御部が流路切替弁９３を制御して流路を切り替え、上記した蓄電池５を、適切な温度状態に保つことを行うものである。
【００８３】
なお、吹出型の空調装置としてのエアコンディショナーの屋内機８は、床下用吹出部８２も有しており、床下暖房も行えるものである。
【００８４】
要するに、この実施例４の蓄電池の設置構造では、蓄電池５を適切な温度状態に保つために必要な温度に設定された空調用空気を通気孔１２ａから蓄電池５に吹き付けることができる。
【００８５】
また、空調装置としてのエアコンディショナーの屋内機８は、床上空間６も空調可能な空調装置であり、床上空間６を空調する機能を主とし、蓄電池５を適切な温度状態に保つ機能を一機能として有している。
【００８６】
さらに、空調装置としてのエアコンディショナーの屋内機８の吹出部８１と通気孔１２ａとの間がダクト９１で接続されているため、防水パン１２内のみをターゲットとすることができ、無駄な熱量を用いずに済む。
【００８７】
なお、他の構成及び作用効果については、上記実施例１と略同様であるので説明を省略する。
【００８８】
以上、図面を参照して、本発明を実施するための形態を実施例１〜５に基づいて詳述してきたが、具体的な構成は、これら実施例１〜５に限らず、本発明の要旨を逸脱しない程度の設計的変更は、本発明に含まれる。
【００８９】
例えば、上記した実施例１〜５では、建物１を、説明が簡単なように、単純な構造としたが、勿論、これに限定されず、より複雑な構造として実施してもよい。
【００９０】
また、上記した実施例１〜５では、蓄電池５を基礎面である基礎底盤コンクリート１ｂの上面に支持されて実施したが、これに限定されず、例えば、基礎が布基礎等の場合は、地盤面に支持させて実施してもよい。
【００９１】
さらに、上記した実施例１〜５では、開口１１を床部１ａの端部近傍に設けて実施したが、これに限定されず、床部１ａの中間部に設けて実施してもよい。
【００９２】
また、上記した実施例１〜５では、１階の床部１ａに開口１１を設けて実施したが、これに限定されず、他の階の床部に設けて実施してもよい。
【００９３】
さらに、上記した実施例１〜５では、開口１１を収納空間４や階段１４の下部の空間４０に設けて実施したが、これに限定されず、その他の箇所に設けて実施してもよい。
【符号の説明】
【００９４】
１      建物
１ａ    （１階の）床部
１ｂ    基礎底盤コンクリート
１ｃ    基礎側壁コンクリート
１ｄ    外壁部
１ｅ    天井部
１ｆ    （２階の）床部
２      断熱材
３      床下空間（床下領域）
４      収納空間（床上領域）
４０    階段の下部の空間（床上領域）
５      蓄電池
５ａ    パワーコンディショナー
５Ａ    分割パーツ
６      床上空間（床上領域）
６１    １階の床上空間（床上領域）
６２    ２階の床上空間（床上領域）
７      エアコンディショナーの屋外機
８      エアコンディショナーの屋内機（空調装置）
８１    吹出部
８２    床下用吹出部
９１    ダクト
９２    ダクト
９３    流路切替弁
１０    仕切壁
１０Ａ  扉
１０ａ  隙間
１１    開口
１２    防水パン
１２ａ  通気孔
１３    カバー材
１３ａ  放熱用ガラリ
１４    階段
１５    換気装置
１５１  吹出部
１５２  内気吸込部
１５３  外気吸込部
１５４  内気吐出部
１６    吸入口
１７    吐出口
１８１  ダクト
１８２  ダクト
１８３  ダクト
１９    排気口
２０    給気口
Ｗ      通気経路
【図１】
2014190125.tif 000003
【図２】
2014190125.tif 000004
【図３】
2014190125.tif 000005
【図４】
2014190125.tif 000006
【図５】
2014190125.tif 000007